【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
誘導加熱・締固めシステムであって、前記システムが、
形成ツールの表面の上にレイアップされて位置決めされた前記プリプレグ材料を締固めしながらｉｎ−ｓｉｔｕで前記プリプレグ材料から熱を抽出するように構成されおよび配置される締固め部材を備え、
前記締固め部材が、
該締固め部材内に受け入れられる誘導加熱部材と、冷却組立体とを備え、
前記誘導加熱部材は、プリプレグ材料内の繊維およびマトリックスのうちの少なくとも１つを加熱させるため、選択された周波数で電磁場を発生させるように構成され、
前記冷却組立体は、ｉｎ−ｓｉｔｕ締固め・堆積プロセス中にプリプレグ材料のプライ層をコンパクトな構成となるように固めるためにプリプレグ材料から熱エネルギーを抽出するように構成および配置される、
誘導加熱・締固めシステム。
【請求項２】
前記誘導加熱部材が前記締固め部材内に含有され、前記締固め部材が、前記誘導加熱部材によって発生される電磁場の前記選択される周波数に対して透過性である材料から作られる少なくとも一部分を有し、前記誘導磁場が、前記締固め部材の前記少なくとも一部分を分離しながら、統合される複合プリプレグ材料に当てられ得る、請求項１に記載のシステム。
【請求項３】
前記誘導磁場の加熱効果から、前記誘導加熱部材によって発生される前記電磁場に対して透過性ではない前記締固め部材の少なくとも１つの反応性部分を遮蔽するように配置される少なくとも１つの遮蔽部材
をさらに備える、請求項２に記載のシステム。
【請求項４】
前記締固め部材が締固めローラである、請求項１に記載のシステム。
【請求項５】
前記締固めローラが、
反対側にある第１および第２の端部分を有するローラアクスルと、
前記ローラ軸の上で受けられるように構成されおよび配置される円筒形遮蔽物と、
前記遮蔽物の上で受けられるように構成されおよび配置される誘導加熱部材と、
前記ローラ軸の前記第１の端部分の上で受けられる第１の軸受と、
前記ローラ軸の前記第２の端部分の上で受けられる第２の軸受と、
前記ローラ軸の上で受けられて前記第１の軸受と前記第２の軸受に係合される主ローラ支持体であって、前記主ローラ支持体が前記ローラ軸に回転可能に結合される、主ローラ支持体と、
前記主ローラ支持体の上で受けられるローラカバーであって、前記ローラカバーが複合プリプレグ材料を締固めするように構成されおよび配置される、ローラカバーと
をさらに備える、
請求項４に記載のシステム。
【請求項６】
前記反対側にある第１の端部分と第２の端部分との間にある円筒形中間部分をさらに有する前記ローラ軸であって、前記第１および第２の端部分が前記中間部分より小さい直径を有する、前記ローラ軸と、
前記ローラ軸の前記中間部分の上で受けられる前記円筒形遮蔽物と、
前記ローラ軸の前記第１の端部分と前記中間部分との間に形成される第１のショルダに係合される前記第１の軸受と、
前記ローラ軸の前記第２の端部分と前記中間部分との間に形成される第２のショルダに係合される前記第２の軸受と、
複数の冷却通路を有する前記主ローラ支持体と
をさらに備える、請求項５に記載のシステム。
【請求項７】
前記冷却組立体が、前記主ローラ支持体内で前記複数の冷却通路を通してガスまたは液体のうちの少なくとも１つのための流れを供給するように構成されおよび配置される冷却デバイスを備える、請求項６に記載のシステム。
【請求項８】
前記締固め部材が締固めフットである、請求項１に記載のシステム。
【請求項９】
前記締固めフットが
スタンプ部材であって、前記スタンプ部材が、少なくとも１つのベース部分と、前記ベース部分の両端部から延在する反対側にある第１の端壁および第２の端壁と、前記少なくとも１つのベース部分の両側部から延在する反対側にある第１の側壁および第２の側壁とを有し、前記第１および第２の端壁、前記第１および第２の側壁、ならびに、前記ベース部分が、前記スタンプ部材の内部チャンバを形成する、スタンプ部材と、
前記スタンプ部材の前記ベース部分の底部に結合される係合部材であって、前記係合部材がプリプレグ材料を締固めするように構成されおよび配置される、係合部材と、
前記スタンプ部材の前記内部チャンバ内で受けられる誘導加熱部材と
をさらに備える、
請求項８に記載のシステム。
【請求項１０】
複数の冷却通路を有する前記第１および第２の側壁と、
シールド部材であって、前記シールド部材が、シールド頂部カバーと、前記シールド頂部カラーから延在するシールド側方部分とを有し、前記シールド側方部分が前記スタンプ部材の前記内部チャンバ内で受けられ、前記シールド頂部カバーが前記スタンプ部材の前記内部チャンバを覆うように構成されおよび配置される、シールド部材と
をさらに備える、請求項９に記載のシステム。
【請求項１１】
前記締固め部材を所望されるロケーションに位置決めするように構成されおよび配置される位置決め組立体をさらに備える、請求項１に記載のシステム。
【請求項１２】
前記位置決め組立体を制御するように結合される制御装置をさらに備え、前記制御装置が、連続締固めプロセスで前記システムを前記材料の上を通過させるときに前記プリプレグ材料を固まった状態にするために加熱、締固めおよび冷却を制御するようにさらに構成される、請求項１１に記載のシステム。
【請求項１３】
誘導加熱・締固めシステムであって、前記システムが
プリプレグ材料のプライ層を締固めするように構成されおよび配置される締固め部材と、
前記締固め部材内で受けられる誘導加熱部材であって、前記誘導加熱部材が選択される周波数の電磁場を発生させるように構成され、前記選択される周波数が、プリプレグ材料内の繊維およびマトリックスのうちの少なくとも１つを温度上昇させる、誘導加熱部材と、
前記誘導加熱部材によって発生される前記電磁場の前記選択される周波数に対して透過性である材料から作られる少なくとも一部分を有する前記締固め部材であって、前記締固め部材を温度上昇させずに前記誘導磁場が統合される複合プリプレグ材料に当てられ得る、前記締固め部材と、
ｉｎ−ｓｉｔｕ締固め・堆積プロセス中にプリプレグ材料の前記プライ層をコンパクトな構成となるように固めるために前記プリプレグ材料から熱エネルギーを抽出するように構成されおよび配置される、前記締固め部材内に受けられる冷却組立体部材と
を備える、
誘導加熱・締固めシステム。
【請求項１４】
プリプレグ材料のプライ層を統合する方法であって、前記方法が、
締固め部材の誘導加熱部材で、加熱されるエリア内のマトリックスを軟化させるために、形成ツールの表面の上にレイアップされた少なくとも１つの第１のプリプレグ材料のプライ層内の繊維およびマトリックスのうちの少なくとも１つのエリアを誘導加熱するステップと、
前記締固め部材で、前記少なくとも１つの第１のプリプレグ材料のプライ層を第２のプリプレグ材料のプライ層の上にレイアップするときに前記少なくとも１つの第１のプリプレグ材料のプライ層の前記加熱されるエリアを締固めするステップと、
前記少なくとも１つの第１のプリプレグ材料の層および前記第２のプリプレグ材料のプライ層をコンパクトな状態に固めるために前記加熱されるエリアを前記締固め部材で締固めしながら、前記締固め部材の冷却組立体で、第１のプリプレグ材料のプライ層および前記第２のプリプレグ材料の層の前記少なくとも１つから熱エネルギーを抽出するステップと
を含む、
方法。
【請求項１５】
前記第１のプリプレグ材料のプライ層の少なくとも一部分を前記少なくとも１つの第２のプリプレグ材料のプライ層の上に自動でレイアップするステップと、
前記第１のプリプレグ材料のプライ層の前記少なくとも一部分内のマトリックスを軟化させるために、前記第１のプリプレグ材料のプライ層の前記少なくとも一部分内の繊維およびマトリックスの少なくとも１つを誘導加熱するステップと、
前記少なくとも１つの第２のプリプレグ材料のプライ層の上で前記第１のプリプレグ材料のプライ層の前記少なくとも一部分を締固めするステップと、
前記プライ層をコンパクトな状態に固めるために締固めするときに前記第１のプリプレグ材料の層の前記少なくとも一部分および前記少なくとも１つの第２のプリプレグ材料のプライ層から熱エネルギーを抽出するステップと
をさらに含む、
請求項１４に記載の方法。
【請求項１６】
前記締固め部材内に収容される誘導加熱器を用いて、前記少なくとも１つの第１のプリプレグ材料のプライ層内の繊維およびマトリックスのうちの少なくとも１つを温度上昇させる所与の周波数の誘導熱エネルギーを発生させるステップ
をさらに含む、請求項１４に記載の方法。
【請求項１７】
誘導加熱部材の加熱効果から前記締固め部材の少なくとも一部の要素を遮蔽するステップ
をさらに含む、請求項１４に記載の方法。
【請求項１８】
少なくとも１つの前記第１のプリプレグ材料のプライ層および前記第２のプリプレグ材料のプライ層から熱エネルギーを抽出するために、前記加熱されるエリアを締固めする前記締固め部材を冷却するステップ
をさらに含む、請求項１４に記載の方法。